(57)【要約】【課題】戸体の向こう側の空間の状況を認識し易くすることができて、使い勝手の良い引き戸を提供する【解決手段】外部の開口部９に対してスライド移動自在に取り付けられる戸体２と、戸体２に設けられ前記スライド移動操作用の引手３とを備え、戸体２は、引手３取付用の貫通孔２１を有し、引手３は、貫通孔２１に挿通して取り付けられ一方の開口端を操作用開口３１とした筒体４と、筒体４の操作用開口３１と反対の開口端を閉塞する底部材５とを備える。そして、底部材５は、透光性を有するもの、或いは、透光性を有するものと遮光性を有するものから選択可能なものである。【選択図】図１
2014109114.tif 000002
【特許請求の範囲】
【請求項１】
外部の開口部に対してスライド移動自在に取り付けられる戸体と、この戸体に設けられ前記スライド移動操作用の引手とを備え、
前記戸体は、前記引手取付用の貫通孔を有し、
前記引手は、前記貫通孔に挿通して取り付けられ一方の開口端を操作用開口とした筒体と、この筒体の前記操作用開口と反対の開口端を閉塞する底部材とを備え、
この底部材が、透光性を有するものであることを特徴とする引き戸。
【請求項２】
外部の開口部に対してスライド移動自在に取り付けられる戸体と、この戸体に設けられ前記スライド移動操作用の引手とを備え、
前記戸体は、前記引手取付用の貫通孔を有し、
前記引手は、前記貫通孔に挿通して取り付けられ一方の開口端を操作用開口とした筒体と、この筒体の前記操作用開口と反対の開口端を閉塞する底部材とを備え、
前記引手は、前記筒体の前記反対の開口端に、透光性を有する第１の前記底部材と、遮光性を有する第２の前記底部材とのうち、いずれか一方の前記底部材を選択的に取付可能なものであることを特徴とする引き戸。
【請求項３】
前記筒体は、前記反対の開口端側の部位に、前記一端の開口端側の部位に比べて、内部空間を広くする膨出部を有し、前記一方の開口端側の部位の外周面に、前記貫通孔の内周面に引っ掛かる爪を設けたものであることを特徴とする請求項１または請求項２に記載の引き戸。
【請求項４】
前記引手を、前記戸体の前記貫通孔の両方の開口に各々設けたものであることを特徴とする請求項１乃至３のいずれか一項に記載の引き戸。
【発明の詳細な説明】
【技術分野】
【０００１】
本発明は、引き戸に関する。
【背景技術】
【０００２】
特許文献１には、引戸体を挟んで貫通孔の両開口に引手を設けた構造が開示されている。この構造では、二つの引手が互いに貫通孔内で嵌合して合体することで、引戸体に取り付けられる。
【先行技術文献】
【特許文献】
【０００３】
【特許文献１】特開２０１２−１６７５１１号公報
【発明の概要】
【発明が解決しようとする課題】
【０００４】
ところで、引き戸は開口部を閉塞するものであるため、引き戸を閉成した状態では、例えば開口部の前に立つ者が引き戸を開成する等の行動を行わなければ、この者が開口部を介した反対側の空間（開口部の向こう側の空間）の状況を認識することはできない。このため、例えばトイレの出入口に設けた引き戸の場合、引き戸を介してトイレ外に立つ者は、このトイレ内の利用者の有無を、引き戸を開成するか引き戸を叩くか等の行動を行い、確認する必要がある。このとき、引き戸を開成することは利用者に不快感を与え易いため、容易に行えることではなく、また引き戸を叩く場合では、その音やそれに対する返事が相手に聞こえずに、前記トイレ外に立つ者が、利用者の有無を正しく認識できないことがある。このように、従来の引き戸では、引き戸の前に立つ者が、引き戸を介した開口部の向こう側の空間の状況を認識し難い。
【０００５】
そこで、本発明は、前記事情に鑑みてなされたものであって、前記開口部の向こう側の空間の状況を容易に認識可能な、使い勝手の良い引き戸を提供することを課題とする。
【課題を解決するための手段】
【０００６】
前記課題を解決するために本発明は、外部の開口部に対してスライド移動自在に取り付けられる戸体と、この戸体に設けられ前記スライド移動操作用の引手とを備え、前記戸体は、前記引手取付用の貫通孔を有し、前記引手は、前記貫通孔に挿通して取り付けられ一方の開口端を操作用開口とした筒体と、この筒体の前記操作用開口と反対の開口端を閉塞する底部材とを備え、この底部材が、透光性を有するものであることを特徴とする。
【０００７】
また前記課題を解決するために本発明は、外部の開口部に対してスライド移動自在に取り付けられる戸体と、この戸体に設けられ前記スライド移動操作用の引手とを備え、前記戸体は、前記引手取付用の貫通孔を有し、前記引手は、前記貫通孔に挿通して取り付けられ一方の開口端を操作用開口とした筒体と、この筒体の前記操作用開口と反対の開口端を閉塞する底部材とを備え、前記引手は、前記筒体の前記反対の開口端に、透光性を有する第１の前記底部材と、遮光性を有する第２の前記底部材とのうち、いずれか一方の前記底部材を選択的に取付可能なものであることを特徴とする。
【０００８】
また、前記筒体は、前記反対の開口端側の部位に、前記一端の開口端側の部位に比べて、内部空間を広くする膨出部を有し、前記一方の開口端側の部位の外周面に、前記貫通孔の内周面に引っ掛かる爪を設けたものであることが好ましい。
【０００９】
また、前記引手を、前記戸体の前記貫通孔の両方の開口に各々設けたものであることが好ましい。
【発明の効果】
【００１０】
本発明にあっては、筒体の操作用開口と反対の開口端を、透光性を有する底部材で閉塞することで、貫通孔を介して戸体の向こう側の空間から光を透過させることができる。このため、本発明にあっては、例えば、前記空間からの透過光の有無から、戸体の一方に立つ者に、例えば戸体を介した反対側の空間（前記向こう側の空間）における人の有無等の、前記向こう側の空間の状況を認識させ易くすることができる。これによって、本発明にあっては、例えば、戸体を開成させ難い状態や、戸体を叩く音やそれに対する返事を視聴し難い状態等でも、前記状況を認識可能となり、使い勝手の良い引き戸を提供することができる。
【図面の簡単な説明】
【００１１】
【図１】本発明の実施形態の引き戸における貫通孔周辺の断面図である。
【図２】同上の引き戸における引手を示し、（ａ）は斜視図であり、（ｂ）は分解斜視図である。
【図３】同上の引手を示し、（ａ）は正面図であり、（ｂ）は下方から視た平面図であり、（ｃ）はＢ−Ｂ断面図である。
【図４】同上の引手における筒体を示し、（ａ）は斜視図であり、（ｂ）は正面図であり、（ｃ）は下方から視た平面図であり、（ｄ）はＣ−Ｃ断面図である。
【図５】同上の引手における底部材を示し、（ａ）は斜視図であり、（ｂ）は正面図であり、（ｃ）はＥ−Ｅ断面図であり、（ｄ）は領域Ｆの拡大図である。
【図６】本実施形態の引き戸を開口部に設けた状態の斜視図である。
【発明を実施するための形態】
【００１２】
本発明を添付図面に基づいて説明する。本実施形態の引き戸１は、建物や部屋の出入口９１や窓等の開口部９に設けられており、例えば、図６に示すように、部屋の出入口９１に取り付けられる。そして、引き戸１は、開口部９（出入口９１）に対してスライド移動自在となっており、このスライド移動によって開口部９（出入口９１）を開閉可能となっている。出入口９１は、上下及び左右に幅を有した矩形状で前後に貫通している。なお、以下の説明では、前述の前後（図面中の矢印Ｄ１参照）、左右（図面中の矢印Ｄ２参照）、上下（図面中の矢印Ｄ３参照）の各方向を基準とする。そして、以下の説明では、この前後において、前方から後方に向けて視た状態を、正面視とする。
【００１３】
開口部９（出入口９１）を形成する縁部の上部前面には、開口部９より左右に長尺な上レール９２と、上レール９２に沿ってスライド移動自在の吊り具（図示せず）とが設けてある。この吊り具は上レール９２に取り付けられる。そして、この吊り具は、引き戸１を吊り下げて保持する（吊り持ちする）。言い換えると、引き戸１は、左右に長尺な上吊レールによって、開口部９に取り付けられており、この上吊レール（上レール９２）に沿って左右にスライド移動自在となっている。
【００１４】
引き戸１は、図１に示すように、板状の戸体２と、戸体２に取り付けられる引手３とを備える。戸体２は、上下及び左右に幅を有した矩形の板部材で形成される。このため、戸体２は、板面が前後を向いて配置される。戸体２は、その上端部が、前記吊り具に保持される。このため、戸体２は、左右にスライド移動自在となっており、このスライド移動によって、開口部９の前面を閉塞する閉成状態（図６に示す状態）と、この前面を開放する開成状態とに切り替わる。
【００１５】
戸体２は、前後に両板面を貫通した貫通孔２１が、左右の一端部に設けてある。貫通孔２１は、正面視正方形状に形成されており、その貫通方向に直交する断面形状が一様となっている。そして、貫通孔２１は、その貫通方向が前後に平行となっている。このため、貫通孔２１は、前後の開口２２が同形で且つ前後方向に重なって位置する。
【００１６】
引手３は、図１に示すように、貫通孔２１に挿通して、戸板２に取り付けられる。このため、引手３は、図６に示すように、戸体２の左右の一端部に設けられる。引手３は、図１に示すように、貫通孔２１の前側の開口２２と、貫通孔２１の後側の開口２２とに夫々設けてある。言い換えると、引き戸１は、引手３を二つ備えており、二つの引手３は戸体２の貫通孔２１の前後両方の開口２２に各々設けてある。
【００１７】
そして、引手３は、戸体２をスライド移動させる際に操作部として機能する。言い換えると、引手３は、戸体２のスライド移動操作用（開閉操作用）となっている。このため、引き戸１は、前後のいずれからでも、引手３を介して戸体２をスライド移動可能となっている。
【００１８】
更に、引手３は、有底の筒形状となっている。詳しくは、貫通孔２１の前側の開口２２に設けた引手３が、この前側の開口２２から後方に向けて凹んだ有底の筒形状となっており、貫通孔２１の後側の開口２２に設けた引手３が、この後側の開口２２から前方に向けて凹んだ有底の筒形状となっている。このため、引手３は、筒の開口端が、貫通孔２１の各開口２２に位置する。
【００１９】
そして、引手３は、この筒の開口端から筒内部に指を挿し入れることができる。引き戸１は、この引手３内に指を挿し入れた状態で、この指を入れた手を左右に移動させることで、容易にスライド移動される。このため、引手３の前記開口端は、スライド移動時に容易に引き戸１をスライド移動可能とする操作用開口３１となっている。以下、前記前側の開口２２に設けた引手３における後方、及び前記後側の開口２２に設けた引手３における前方を夫々、引手３の奥側とする。すなわち、前後二つの引手３は、図２に示すように、操作用開口３１から奥側に凹んだ有底の筒形状となっている。
【００２０】
また、引手３は、図３に示すように、前後両端が開口し一方の開口端が操作用開口３１となる筒体４と、筒体４の操作用開口３１と反対の開口端を閉塞する底部材５とを備える。そして、引手３は、例えば、合成樹脂製となっており、筒体４に底部材５を例えば溶着等で一体化することで形成される。以下の説明では、筒体４において、操作用開口３１となる前記開口端を第１開口端とし、第１開口端の反対の開口端を第２開口端とする。
【００２１】
筒体４は、遮光性を有する。筒体４は、図４に示すように、前後両端が開口した筒形状の部位（筒部４１）を有する。筒部４１は正面視正方形に開口しており、連続する四つの周壁（上側の周壁、右側の周壁、下側の周壁、左側の周壁）で形成される。そして、筒部４１は、その筒の外寸（上下または左右に平行に並ぶ二つの周壁の外周面間の距離）が、平面視における貫通孔２１の一辺（周面）の全長（上下または左右の長手寸法）より小寸となっている。そして、筒部４１は、貫通孔２１に挿通した状態で、配置される。
【００２２】
筒部４１の第１開口端には、外周に突出したフランジ部４２が形成されている。フランジ部４２は、正面視正方形枠状となっており、この枠の各辺の全長が、平面視における貫通孔２１の一辺の全長より大寸となっている。このため、筒部４１を貫通孔２１に挿通した状態で、フランジ部４２は、その一部が戸体２の板面に当接される。すなわち、フランジ部４２は、筒体４の貫通孔２１に対する挿通位置を規定する位置決め部として機能する。また、フランジ部４２は、貫通孔２１を隠蔽する隠蔽部材として機能する。
【００２３】
更に、筒部４１は、各周壁の外周面に爪４３が形成されている。爪４３は、前後に長さを有しており、その前後長が、筒部４１の前後長の半分の長さとなっている。更に、爪４３は、筒部４１を貫通孔２１に挿通した状態で、貫通孔２１の周面（戸体２）に引っ掛かる。これによって、筒体４は、貫通孔２１（戸体２）に取り付けられる。
【００２４】
また、筒部４１は、その前後長の半分から第２開口端までの部位（第２開口端側の部位４１ｂ）に、膨出部４４を有する。言い換えると、筒部４１は、爪４３より奥側に膨出部４４を有する。膨出部４４は、正面視において、筒部４１の内周面を外周側に膨れさせた部位となっている。このため、筒部４１は、正面視において、膨出部４４における筒の内寸（上下または左右に平行に並ぶ二つの周壁の内周面間の距離）が、膨出部４４以外の部位における前記筒の内寸に比べて、大寸になっている。
【００２５】
更に、第２開口端側の部位４１ｂは、その全体が膨出部４４となっている。そして、膨出部４４は、その前記筒の内寸が、第２開口端に近づく程大きくなる。言い換えると、第２開口端側の部位４１ｂは、その内周面が、第１開口端側の部位４１ａ（筒部４１の前後長の半分から第１開口端までの部位）との境界から第２開口端に向けて内寸が大きくなる傾斜面となっている。
【００２６】
このため、筒部４１は、第２開口端側の部位４１ｂが、第１開口端側の部位４１ａに比べて、その内部空間（筒内）が広くなっている。言い換えると、引手３は、膨出部４４によって、内周面の一部に、外周側に凹んだ凹みが形成されている。なお、膨出部４４は、第２開口端側の部位４１ｂの前後長の全体に亘るものに限らず、第２開口端側の部位４１ｂの一部に有した（形成した）もの等であってもよい。
【００２７】
筒部４１の第２開口端には、底取付部４５が形成されている。底取付部４５には、底部材５（詳細は後述する）が取り付けられる。また、底取付部４５は、筒部４１の第２開口端の全周に亘って設けてあり、前後に沿って筒部４１から突出する。そして、底取付部４５は、正面視において、筒部４１と同形の正方形をした枠状となっており、正面視において、各辺の短手寸法（長手方向に直交する厚さ）が筒部４１の前記厚さに比べて小寸となっている。更に、底取付部４５は、前後において、その内周面が、筒部４１の内周面と連続しており、所謂面一形状となっている。言い換えると、底取付部４５は、正面視において、その筒（枠）の内寸（上下または左右に対向する内周面間の距離）が、筒部４１の第２開口端における筒の内寸と、同寸になっている。
【００２８】
底部材５は、図５に示すように、正面視正方形の板部材で形成される。言い換えると、底部材５は、正面視正方形の板状となっている。底部材５は、各辺の長手寸法が、筒部４１の第２開口端における筒の外寸（上下または左右に平行に並ぶ二つの周壁の外周面間の距離）と、同寸になっている。底部材５は、一方の板面で筒体４の第２開口端を閉塞して、底取付部４５に取り付けられる。そして、底部材５の前記一方の板面には、正面視において、底取付部４５と重なる位置（底取付部４５に対応する位置）に、溝部５３が設けてある。
【００２９】
溝部５３は、前後において、前記一方の板面から凹んで形成される。溝部５３は、正面視正方形環状の凹所となっている。そして、溝部５３は、底取付部４５を挿入して、内部に配置可能となっている。
【００３０】
更に、溝部５３は、その底面に、所定の間隔をおいて、突起５４が設けてある。突起５４は、例えば、正方形の各辺に夫々二つずつ設けてある。各辺に設けた突起５４は、その設けた辺の長手方向において、所定の間隔をおいて設けてあり、この間隔は４辺とも同寸となっている。そして、各辺に設けた突起５４は各々、その設けた辺の長手方向に沿って長さを有した突条となっており、この長さは八つとも同寸となっている。言い換えると、突起５４は、各辺に同じ条件で複数設けてある。
【００３１】
そして、引手３は、例えば、底取付部４５を溝部５３内に配置した状態で、振動溶着を行い、底取付部４５を突起５４に固着している。詳しくは、底部材５は、突起５４に底取付部４５の奥側の端部を当接した状態で、筒体４が組み付けられる。そして、底部材５は、この状態で、底取付部４５と突起５４との間を振動溶着させることで、筒体４に固着一体化される。
【００３２】
これによって、図２，３に示すように、底部材５は、筒体４に取り付けられる。また、底部材５は、固着した状態で、前記一方の板面を筒部４１の第２開口端に当接してもよいし、当接しなくてもよいが、溶着前は、前記一方の板面と前記第２開口端との間に隙間を有することが好ましい。なお、底部材５を筒体４に取付け・固定（固着）する手段は、溶着に限らず、接着や、底取付部４５と溝部５３との嵌り合い（嵌合）等であってもよい。
【００３３】
また、底部材５は、透光性を有する第１の底部材５１と、遮光性を有する第２の底部材５２とに区別される。そして、引手３は、第１の底部材５１と第２の底部材５２とのうち、一方の底部材５を選択的に筒体４に取り付けて形成される。
【００３４】
そして、例えば、第１の底部材５１は、透光性を有する材料で形成される。このため、第１の底部材５１は、板面の少なくともの溝部５３より内側の部位で、光を透過させることができる。なお、第１の底部材５１は、有色の材料で形成されたものや、表面処理等を施したもの等の、覗き穴とならない透明でないもの（所謂半透明を含む非透明のもの）が好ましい。
【００３５】
また、例えば、第２の底部材５２は、遮光性を有する材料で形成される。このため、第２の底部材５２は、第１の底部材５１と異なり、その板面の溝部５３より内側の部位で、光を透過させることができない。なお、第２の底部材５２は、透光性を有する材料で形成し、表面処理等の加工を施すことで、前記内側の部位の透光性を無くした（前記内側の部位に遮光性を持たせた）もの等であってもよい。
【００３６】
このように、引手３は、第１の底部材５１を備えた場合、底部材５を介して貫通孔２１の前後の開口２２から光を放出させることができる。言い換えると、引き戸１は、筒体４の第２開口端を、透光性を有する底部材５で閉塞することで、貫通孔２１を介して戸体２の向こう側（引手３と反対側）の空間から光を透過させることができる。
【００３７】
このため、引き戸１は、この引手３を用いることで、例えば、前記空間からの透過光の有無から、戸体２の一方に立つ者に、戸体２を介した反対側の空間（前記空間）における人の有無等を認識させ易くすることができる。言い換えると、引き戸１は、底部材５に透光性を持たせたことで、前記空間からの透過光の有無から、前記向こう側の空間の状況を認識させ易くすることができる。これによって、引き戸１は、戸体２を開成させ難い状態や、戸体２を叩く音やそれに対する返事を視聴し難い状態等でも、前記状況を認識可能となり、使い勝手を良くし易くすることができる。
【００３８】
また、引手３は、第２の底部材５２を備えた場合、底部材５を介した前記光の通過を抑制することができる。言い換えると、引き戸１は、引手３に備える底部材５を第１の底部材５１と第２の底部材５２とから選択可能としたことで、貫通孔２１を介して光を透過させたい引き戸１と、この光を透過させたくない引き戸１とで、同じ形状の引手３を用いることができる。このため、ユーザーは、その所望や引き戸１の使用条件等に応じて、開口部９毎に、第１の底部材５１を備えた引き戸１と、第２の底部材５２を備えた引き戸１とを選択して、同じデザインで設けることができる。これによって、引き戸１を設けた建物や部屋等では、意匠性を向上し易くすることができる。
【００３９】
更に、引き戸１は、引手３の底部材５を透光可能としたことで、開口部９を介した一方の空間が明るくもう一方の空間が暗い場合等に、暗い側の空間に居る者が、引手３から漏れる光によって、引手３や引き戸１の位置を容易に認識することができる。これによって、引き戸１は、使い勝手を良くし易くすることができる。
【００４０】
また、引き戸１は、筒体４に膨出部４４を設けることで、筒体４の内周面に凹みを形成することができる。このため、引き戸１は、操作用開口３１に挿通した指を筒体４の前記凹みに引っ掛けさせることで、この指で引手３を保持し易くすることができる。これによって、引き戸１は、スライド移動を操作し易くすることができて、使い勝手を良くし易くすることができる。
【００４１】
また、引き戸１は、戸体２に引っ掛かる爪４３を筒体４の外周面に設けたことで、引手３の戸体２への取付に取付具等を用いなくても、引手３を容易に戸体２に取り付けることができる。そして、引き戸１は、戸体２に引手３用の取付具を設けなくても取付可能としたことで、戸体２の板面における前記取付具の露出を抑制することができる等で、引き戸１の意匠性を向上し易くすることができる。
【００４２】
そして、引き戸１は、引手３を貫通孔２１の両方の開口２２に各々設けたことで、戸体２の前後両方のいずれからでも、引手３に手（指）を掛けて容易にスライド移動させることできる。これによって、引き戸１は、使い勝手を良くし易くすることができる。更に、引き戸１は、筒体４に設けた爪４３で引手３を戸体２に取り付けるため、貫通孔２１の両方の開口２２に各々引手３を取り付ける際に、両方の開口２２の各引手を前後に接続して取り付けるもの等と異なり、引手３を個別に戸体２へ取り付けることができる。このため、引き戸１は、互いの底部材５の間の距離（前後間隔）に影響され難くすることができる。これによって、引き戸１は、同じ貫通孔２１の前後に引手３を設ける際（貫通孔２１の両方の開口２２に各々引手３を取り付ける際）に、戸体２の前後の厚みの影響を受け難くすることができる。
【００４３】
また、引手３は、膨出部４４が爪４３より奥側で最も大寸になるように、膨出部４４が設けてある。このため、引手３は、膨出部４４の前記最も大寸になる部位に爪４３を設けた場合に比べて、膨出部４４の前記部位の外周への突出量や爪４３の幅を大きくして、形成し易くすることができる。このため、引き戸１は、前記指を掛けるための凹みを広く形成し易くしたり、引手３を戸体２に強固に取り付け易くしたりすることができる。これによって、引き戸１は、使い勝手を良くし易くすることができる。
【００４４】
また、底部材５は、溝部５３に長さを有した突起５４（突条）を設けて、突起５４で筒体４に振動溶着される。このため、底部材５は、溝部５３の底部の前後厚さを溶着前後で変化し難くしたり、溶着に伴う歪み等の形状変形を軽減し易くしたりすることができる。言い換えると、引手３は、底部材５に溶着用の突起５４を設けたことで、筒体４に底部材５を強固で且つ安定して固定し易くすることができる。
【００４５】
なお、引き戸１を取り付ける開口部９は、建物の窓であってもよく、また出入口９１や窓等の建物の開口部に限らず、キャビネット等の出し入れ用の開口部等であってもよい。また、本実施形態では、引手３を戸体２の前後両方に設けたが、開口部９（引き戸１）の利用条件等によっては、引手３を戸体２の前後の一方のみに設けたものであってもよい。また、引き戸１は、前記上吊レールにガイド・支持されるものに限らず、下レールにガイド・支持されるものや、上下両方のレールにガイド・支持されるもの等であってもよい。また、この他、引き戸１は、本発明の要旨を逸脱しない範囲内で適宜設計変更しても構わない。
【符号の説明】
【００４６】
１  引き戸
２  戸体
２１  貫通孔
２２  開口
３  引手
３１  操作用開口
４  筒体
４１  筒部
４１ａ  第１開口端側の部位
４１ｂ  第２開口端側の部位
４２  フランジ部
４３  爪
４４  膨出部
４５  底取付部
５  底部材
５１  第１の底部材
５２  第２の底部材
５３  溝部
５４  突起
９  開口部
９１  出入口
９２  上レール
【図１】
2014109114.tif 000003
【図２】
2014109114.tif 000004
【図３】
2014109114.tif 000005
【図４】
2014109114.tif 000006
【図５】
2014109114.tif 000007
【図６】
2014109114.tif 000008